(57)【要約】【課題】本発明は、容器への設置時に安定性の良い状態で飲料の抽出を重ねられる飲料抽出用フィルタ及び飲料抽出バッグを提供する。【解決手段】本発明の飲料抽出フィルタ１は、上端が開口可能な袋状に形成され、飲料の抽出を行うフィルタ本体３を備え、フィルタ本体３内に前記飲料の前段抽出を行うプレ濾過部４が少なくとも１つ形成されているマルチドリップ構造Ｍを有する。【選択図】図４
2017131583.tif 000002
【特許請求の範囲】
【請求項１】
上端が開口可能な袋状に形成され、飲料の抽出を行うフィルタ本体を備え、
前記フィルタ本体内に前記飲料の前段抽出を行うプレ濾過部が少なくとも１つ形成されているマルチドリップ構造を有した飲料抽出用フィルタ。
【請求項２】
前記プレ濾過部は、前記フィルタ本体の内部を、抽出原料を収容可能な複数の空間に区分する仕切り部材である請求項１に記載の飲料抽出用フィルタ。
【請求項３】
前記プレ濾過部は、前記フィルタ本体に内包される袋状に形成され、前記フィルタ本体に固定されている請求項１に記載の飲料抽出用フィルタ。
【請求項４】
前記フィルタ本体と前記プレ濾過部とは、同じ又は異なる材質の不織布が用いられている請求項１から３のいずれか一項に記載の飲料抽出用フィルタ。
【請求項５】
前記プレ濾過部は、前記フィルタ本体と同じ又は異なる抽出速度で抽出可能な材料を用いて形成されている請求項１から４のいずれか一項に記載の飲料抽出用フィルタ。
【請求項６】
前記プレ濾過部への抽出原料の投入口と前記フィルタ本体への抽出原料の投入口とを識別させる識別表示を有している請求項１から５のいずれか一項に記載の飲料抽出用フィルタ。
【請求項７】
前記フィルタ本体の外表面に、ホルダが固定されている請求項１から６のいずれか一項に記載の飲料抽出用フィルタ。
【請求項８】
請求項１から７のいずれか一項に記載の飲料抽出用フィルタに抽出原料が収容されて開口部が封止された飲料抽出バッグ。
【発明の詳細な説明】
【技術分野】
【０００１】
本発明は、飲料抽出用フィルタ及び飲料抽出バッグに関する。
【背景技術】
【０００２】
飲料抽出用フィルタに関連する技術として特許文献１のコーヒードリッパーが開示されている。
この公報に記載されたコーヒードリッパーは、第１コーヒー粉が入れられる第１フィルタと、第１フィルタの周囲に設けられ、下方に広がる第１スカートと、を備える第１ドリッパーと、第２フィルタおよび第２コーヒー粉が入れられ、前記第１スカートの下面と合う上面を備え、上方に広がる第２スカートと、第２スカートの下部に設けられ、コーヒー抽出液が通過する抽出孔と、を備える第２ドリッパーと、を有している。
すなわち、このコーヒードリッパーは、同明細書に記載のとおり、浅煎りコーヒーと深煎りコーヒーとを別個に抽出して合わせる手間を省くことを目的として、第１ドリッパーを第２ドリッパーの上方に設置可能な構成となっている。
【先行技術文献】
【特許文献】
【０００３】
【特許文献１】登録実用新案第３１９３７８５号公報
【発明の概要】
【発明が解決しようとする課題】
【０００４】
しかし、従来のコーヒードリッパーは、第１ドリッパーの上端よりも高い位置に第２ドリッパーを設置する構成であるため、ドリッパーが徒に嵩高くなり安定性に欠けるという問題があった。
そこで本発明は、容器への設置時に安定性の良い状態で飲料の抽出を重ねられる飲料抽出用フィルタ及び飲料抽出バッグを提供する。
【課題を解決するための手段】
【０００５】
本発明の飲料抽出用フィルタは、上端が開口可能な袋状に形成され、飲料の抽出を行うフィルタ本体を備え、前記フィルタ本体内に前記飲料の前段抽出を行うプレ濾過部が少なくとも１つ形成されているマルチドリップ構造を有する。
この構成によれば、フィルタ本体の中にプレ濾過部を設けているため、飲料抽出用フィルタ全体の高さを抑えることができる。
【０００６】
本発明の前記プレ濾過部は、前記フィルタ本体の内部を、抽出原料を収容可能な複数の空間に区分する仕切り部材であってもよい。
この構成によれば、ドリップを複数回に分けて行うことが可能となる。
【０００７】
前記プレ濾過部は、前記フィルタ本体に内包される袋状に形成され、前記フィルタ本体に固定されていてもよい。
この構成によれば、プレ濾過部を容易に形成することが可能となる。
【０００８】
本発明の前記フィルタ本体と前記プレ濾過部とは、同じ又は異なる材質の不織布が用いられていてもよい。
この構成によれば、プレ濾過部による抽出条件とフィルタ本体による抽出条件とを同一又は異ならせることが可能となる。
【０００９】
本発明の前記プレ濾過部は、前記フィルタ本体と同じ又は異なる抽出速度で抽出可能な材料を用いて形成されていてもよい。
この構成によれば、飲料の濃さ又は風味を自在に設定することが可能となる。
【００１０】
本発明の飲料抽出用フィルタは、前記プレ濾過部への抽出原料の投入口と前記フィルタ本体への抽出原料の投入口とを識別させる識別表示を有していてもよい。
この構成によれば、抽出原料の投入口が分かり易くなる。
【００１１】
本発明の前記フィルタ本体の外表面には、ホルダが固定されていてもよい。
この構成によれば、樹脂製等のドリッパーを用いずに、飲料抽出用フィルタを容易に容器に設置することが可能となる。
【００１２】
本発明の飲料抽出バッグは、上記いずれかの飲料抽出用フィルタに抽出原料が収容されて開口部が封止されている。
【発明の効果】
【００１３】
本発明の飲料抽出用フィルタ及び飲料抽出バッグは、抽出を複数回に分けるマルチドリップ構造であって容器への設置時に安定性に優れているため熱湯を注ぎやすく、美味しい飲料を抽出することができるという効果を奏する。
【図面の簡単な説明】
【００１４】
【図１】本発明に係る飲料抽出用フィルタの一実施形態を示す正面図である。
【図２】本発明の一実施形態である飲料抽出用フィルタの一部を示す正面図である。
【図３】本発明の一実施形態である飲料抽出用フィルタの容器への設置状態を示す斜視図である。
【図４】本発明の一実施形態である飲料抽出用フィルタの容器への設置状態を示す側面図である。
【図５】本発明に係る飲料抽出用フィルタの他の実施形態を示す正面図である。
【図６】本発明に係る飲料抽出用フィルタの他の実施形態を示す正面図である。
【図７】本発明の他の実施形態である飲料抽出用フィルタの作成方法を示す斜視図である。
【図８】本発明に係る飲料抽出用フィルタの他の実施形態を示す正面図である。
【図９】本発明に係る飲料抽出用フィルタの他の実施形態を示す側面図である。
【発明を実施するための形態】
【００１５】
以下、本発明の各実施形態の飲料抽出用フィルタ及び飲料抽出バッグについて、コーヒー豆を抽出する原料（抽出原料）とし、コーヒーをドリップする場合を例として説明する。
【００１６】
図１に示すように、飲料抽出用フィルタ１は、上端側に開口部２が形成された袋状のフィルタ本体３と、フィルタ本体３の内部空間を上下方向に複数に区分するプレ濾過部４と、ホルダ５とを備えたマルチドリップ構造Ｍを有している。
【００１７】
図２は、基材６，７を重ね合わせた図である。図２に示すように、フィルタ本体３は、基材６を２枚重ね合わせて形成されている。
２枚の基材６、６は、同形状に形成されている。基材６は、水平方向に延びる第１の上辺６ａと、第１の上辺６ａの両端から互いに離間するように斜め下方に延びる第２の上辺６ｂ，６ｂと、第２の上辺６ｂ，６ｂの各下端から第１の上辺６ａの中心を通り第１の上辺６ａに直交する線上に形成された頂部６ｄに向かって延びる左右の下辺６ｃ，６ｃとに囲まれた５角形に形成されている。
【００１８】
基材６同士は、各辺６ａ，６ｂ，６ｃを揃えて対向配置され、左右の下辺６ｃ、６ｃの直近を溶着し、第１の上辺６ａ及び第２の上辺６ｂ，６ｂを解放した状態で貼り合わされている。
プレ濾過部４は、基材７，７の各辺７ａ，７ｂ，７ｃを揃えて、下辺７ｃを溶着させて形成されている。第１の上辺７ａ及び第２の上辺７ｂはフィルタ本体３の第１の上辺６ａ及び第２の上辺６ｂと同形状に形成されている。プレ濾過部４の下辺７ｃ，７ｃは、フィルタ本体３の下辺６ｃ，６ｃよりも短く形成されている。また、下辺７ｃ，７ｃの成す角度θ１は、フィルタ本体３の下辺６ｃ、６ｃの成す角度θ２よりも大きく形成されている。その結果、プレ濾過部４は、フィルタ本体３よりも内部空間が浅く形成されている。
【００１９】
プレ濾過部４は、フィルタ本体３の基材６，６の間に挟み込まれている。
フィルタ本体３の第１の上辺６ａ及び第２の上辺６ｂと、プレ濾過部４の第１の上辺７ａ及び第２の上辺７ｂとは、それぞれほぼ一致するように重ねられている。
プレ濾過部４とフィルタ本体３とは、図３に示すように上端の一つの角部Ｋを残してしっかりと溶着している。プレ濾過部４の上端（第１の上辺７ａ及び第２の上辺７ｂ）は、プレ濾過部４の内部空間に通ずる第１開口部２ａを形成している。
【００２０】
溶着されていない角部Ｋの近傍は、フィルタ本体３の第１の上辺６ａ及び第２の上辺６ｂの一部と、プレ濾過部４の第１の上辺７ａ及び第２の上辺７ｂの一部とが、離間可能になっており、プレ濾過部４とフィルタ本体３とにより形成される空間に通ずる第２開口部２ｂを形成している。
第１開口部２ａ及び第２開口部２ｂは、コーヒー豆を投入する投入口を構成しており、ほぼ同一平面上に形成されている。
【００２１】
図１に示すように、プレ濾過部４の頂部７ｄは、フィルタ本体３の開口部上端からフィルタ本体３の内部の最深部までの全体を１００とした場合、フィルタ本体３の開口部上端から下方に向かって８０（５分の４の深さ）から３３（約３分の１）の深さ位置まで挿入されていればよい。本実施形態では、プレ濾過部４の頂部７ｄは、より好ましい開口部上端から６０（５分の３）から５０（２分の１）の深さに挿入されている。
【００２２】
このようにして形成された飲料抽出用フィルタ１は、図２に示す基材７，７の第１の上辺７ａ，７ａ及び第２の上辺７ｂ，７ｂを離間させて第１開口部２ａを拡げると、図３に示すように、ほぼ四角錐形状になる。
詳細には、フィルタ本体３は、プレ濾過部４を収容する深いほぼ円錐形状を形成する。この四角錐形状は、抽出液が先端部に集中する構造になっている。そして、プレ濾過部４の下方のフィルタ本体３は、その内部空間の最下部にコーヒー豆を集中的に収容して第２次抽出を行う第２ドリップ部Ｍ２を形成する。
【００２３】
プレ濾過部４は、フィルタ本体３よりも浅いほぼ四角錐形状を形成し、フィルタ本体３に内包されている。プレ濾過部４の四角錐形状は、投入物が先端部に集中する構造になっている。このプレ濾過部４は、その内部空間の最下部にコーヒー豆を集中させつつ第１次抽出（前段抽出）を行う第１ドリップ部Ｍ１を形成する。
フィルタ本体３は、プレ濾過部４で抽出されたコーヒーをその下方に収容されたコーヒー豆にくぐらせて重畳的にコーヒーを抽出する第２ドリップ部Ｍ２を形成する。
【００２４】
基材６、７の材料には、少なくともその一部に熱可塑性の樹脂が含まれているか又は熱可塑性樹脂を効率よく取り込み、基材６，６同士、基材７，７同士又は基材６と基材７とが容易に接合され得る不織布等が用いられる。基材６，７は、挽いたコーヒー豆の微粉末が絡まったり、コーヒー豆の充填工程にて噛み込み等の原因になったりしないように、例えば全面に鏡面カレンダーや、エンボス加工が施された平滑性の高いものであることが好ましい。また、基材６，７は、撥水性があり、撥油性があればなお良い。基材６，７の具体的な素材としては、例えば、サーマルボンド不織布、スパンボンド不織布及び樹脂フィルム等が挙げられる。
【００２５】
又は、基材６，７は、サーマルボンド不織布等の前記不織布と、コーヒーの粉の濾過性能に優れ、微粉末、無用な油脂分等を抽出液中に排出しないような特徴を持つ、例えばメルトブロー不織布、ヒートシールペーパー等と、を接合させたものであってもよい。
すなわち、基材６，７は、コーヒーの抽出を所望の速度で好適に濾過できるものであればどのようなものでも採用することができる。
【００２６】
フィルタ本体３とプレ濾過部４とは、同じ又は異なる材質の不織布を用いることができる。
フィルタ本体３とプレ濾過部４とに同じ材質の不織布を用いる場合には、コーヒー豆を蒸らす熱湯が高温の白湯であるか抽出後のコーヒーになるかの点を除いて、プレ濾過部４における抽出条件とフィルタ本体３における抽出条件とを同一にすることができる。
フィルタ本体３とプレ濾過部４とに異なる材質の不織布を用いる場合には、第１ドリップ部Ｍ１に収容させるコーヒー豆と第２ドリップ部Ｍ２に収容させるコーヒー豆のそれぞれの量や性質等のコーヒー豆自身の条件に応じて適宜設定することができる。
【００２７】
フィルタ本体３とプレ濾過部４とに異なる材質の不織布を用いる場合の典型的な例としては、第１ドリップ部Ｍ１における抽出速度と第２ドリップ部Ｍ２における抽出速度とを異ならせる場合が挙げられる。
用いられる不織布は、その親水性又は疎水性の度合い、空隙率、不織布の厚さ寸法等により抽出速度をコントロールすることができるので、プレ濾過部４における第１ドリップとフィルタ本体３における第２ドリップとの間で速さを同一にしたり異ならせたりすることで様々な味わいのコーヒーを抽出できることになる。
【００２８】
すなわち、飲料抽出用フィルタ１は、第１ドリップ部Ｍ１において熱湯からコーヒーをドリップし、第２ドリップ部Ｍ２においてコーヒーからコーヒーを重畳的にドリップする（言うなれば“コーヒーでコーヒーを抽出する”）マルチドリップ構造Ｍを採用している。
【００２９】
ホルダ５は、基材６の外表面に固定されるものであり、容器１００に設置可能な係止片５ｂを備えていればどのようなものであってもよいが、係止片５ｂに加え、第１開口部２ａの形状を保持できる保持部５ａ有していることが望ましい。
【００３０】
次に、本発明の飲料抽出用フィルタ１の使用方法について説明する。
飲料抽出用フィルタ１は、使用前は図１又は図２に示すようにフィルタ本体３の基材６，６及びプレ濾過部４の基材７，７が扁平に畳まれ、図３に示す第１開口部２ａが閉じた状態になっている。したがって、まず、図３示すように第１開口部２ａをほぼ矩形に開口してほぼ四角錐形状の第１ドリップ部Ｍ１と第２ドリップ部Ｍ２とを形成し、ホルダ５を用いて容器１００に設置する。
そして、第１開口部２ａ及び第２開口部２ｂから、図４に示すようにそれぞれプレ濾過部４の第１ドリップ部Ｍ１及びフィルタ本体３の第２ドリップ部Ｍ２にコーヒー豆Ｘをコーヒー豆Ｘ１，Ｘ２に分けて投入する。
【００３１】
これでドリップを開始する準備が完了するので、第１開口部２ａから熱湯を注ぐ。そうすると、第１ドリップ部Ｍ１に投入されたコーヒー豆Ｘ１が蒸らされる。この際、第１ドリップ部Ｍ１はほぼ四角錐形状に形成されており、コーヒー豆Ｘ１が四角錐形状の最下部にまとまっている。また、注がれた熱湯も四角錐形状の先端に向かって流れる。したがって、コーヒー豆Ｘ１の全体が熱湯に触れ易くなり効率的に蒸らされる。
【００３２】
プレ濾過部４は、抽出速度が制御された不織布等により形成されているため、コーヒー豆Ｘ１は第１ドリップ部Ｍ１において十分に蒸らされる。そして、抽出されたコーヒーがプレ濾過部４をゆっくりと通過し、直下の第２ドリップ部Ｍ２に滴下する。
第１ドリップ部Ｍ１から滴下したコーヒーは、プレ濾過部４がフィルタ本体３の内部に形成されているため熱湯の温度をほとんど下げることなく直ちに第２ドリップ部Ｍ２のフレッシュなコーヒー豆Ｘ２に滴下する。
【００３３】
そうすると、第１ドリップ部Ｍ１で抽出されたコーヒーにより、抽出速度が制御されたフィルタ本体３で更にじっくりとコーヒー豆Ｘ２が蒸らされ、一度ドリップされたコーヒーに新たに蒸らされたフレッシュなコーヒーが抽出されて重なり、濃厚で味わいの非常に高いコーヒーがドリップされる。
【００３４】
すなわち、飲料抽出用フィルタ１は、第１ドリップ部Ｍ１と第２ドリップ部Ｍ２とを一つのフィルタ本体３内に連続して形成したマルチドリップ構造Ｍを採用していることにより、コーヒー豆Ｘを小分けにして、丁寧に蒸らしを重ねることができる。
したがって、飲料抽出用フィルタ１は、従来のように注がれた熱湯が一度だけコーヒー豆を蒸らしつつフィルタを通過するのではなく、複数に小分けにしたコーヒー豆Ｘ１，Ｘ２をくぐらせることにより、コーヒー豆Ｘ１，Ｘ２の潜在能力を余すところなく引き出しながらコーヒーをドリップすることができる。
【００３５】
この構造により、飲料抽出用フィルタ１は、同じ分量のコーヒー豆Ｘを用いても従来に比べて濃厚で非常に美味しいコーヒーをドリップすることができるという効果を奏する。言い換えると、プレ濾過部４を有しない従来のコーヒーフィルタを用いて熱湯を一度だけコーヒー豆にくぐらせる場合に比べて、従来よりも少量のコーヒー豆で前記従来のコーヒーフィルタでドリップした場合と同じ濃さのコーヒーをドリップすることができる。
【００３６】
なお、更に詳細な説明を加えると、プレ濾過部４を有しない従来のフィルタでも、所定の分量のコーヒーを得るために、複数回フィルタに熱湯を注がれることはあるが、これは熱湯が複数回に分けられたコーヒー豆をくぐるという本発明とは全く異なる。プレ濾過部４を有しない従来のフィルタでは、何度熱湯を注いだとしても、フィルタ内で１度しかコーヒーをくぐらないのである。
【００３７】
また、本発明は、出が薄い緑茶を再度急須に戻すのと同様に、プレ濾過部４を有しない従来のフィルタでコーヒーを抽出した後に、そのコーヒーを再度同じフィルタに戻して複数回抽出する方法とも全く異なる。
本発明は、従来のフィルタを用いた前記いずれの方法によっても得ることができない濃さと旨さのコーヒーを淹れられることを本願の発明者が見出して想到したのである。そして、鋭意研究した結果、従来よりも濃く旨いコーヒーを淹れられる理由は、本発明に係るマルチドリップ構造Ｍの下で、第１ドリップ部Ｍ１及び第２ドリップ部Ｍ２の各々にコーヒー豆Ｘを分けて投入し、熱湯を注いだ場合に、第１ドリップ部Ｍ１及び第２ドリップ部Ｍ２での抽出をじっくりと時間をかけて行うことができるためであることが分かったのである。
【００３８】
このように、飲料抽出用フィルタ１は、従来よりも少ないコーヒー豆の分量で美味しいコーヒーを淹れることができ経済的であるという効果を奏する。
また、飲料抽出用フィルタ１は、特許文献１に記載された従来のコーヒードリッパーとは異なりフィルタ本体３内にプレ濾過部４を形成しているので、図３に示す容器１００に設置した際の安定性が高く、コーヒーを淹れやすいという効果を奏する。
【００３９】
また、更に、飲料抽出用フィルタ１は、第１ドリップ部Ｍ１と第２ドリップ部Ｍ２との距離が近いので、最初にドリップされたコーヒーの熱が低下してしまう前に２度目以降のドリップを行うことができる。すなわち、飲料抽出用フィルタ１は、１度目のドリップとほぼ変わりのない温度で２度目以降のドリップを行うことができるので、コーヒーのドリップを良好に行うことでき、非常に美味しいコーヒーを淹れることができるという効果を奏する。
【００４０】
また、飲料抽出用フィルタ１は、フィルタ本体３内にプレ濾過部４を形成しているので、全体としてコンパクトに形成することができるという効果を奏する。
また、飲料抽出用フィルタ１は、ホルダ５を備えているので、樹脂製のドリッパー等を用いることなく容易に容器１００に設置することができるという効果を奏する。
なお、飲料抽出用フィルタ１は、容器１００に設置可能で飲料抽出用フィルタ１の形状に沿うドリッパーが用いることができれば、ホルダ５を備えたものでなくてもよい。
【００４１】
また、図１に示すように、飲料抽出用フィルタ１を用いて、第１ドリップ部Ｍ１と第２ドリップ部Ｍ２とのそれぞれに予め不図示のコーヒー豆を収容しておき、第１開口部２ａ及び第２開口部２ｂを封止した飲料抽出バッグ３０としてもよい。
このような飲料抽出バッグ３０は、図３に示すように第１開口部２ａを開口して容器１００にセットするだけでドリップを開始することができるので、非常においしいコーヒーを簡便に淹れることが可能となるという効果を奏する。
【００４２】
上記の実施形態において、飲料抽出用フィルタ１及び飲料抽出バッグ３０は、プレ濾過部４をフィルタ本体３内に１つだけ形成した構成としたが、プレ濾過部４は、２以上設けられていてもよい。
この場合、コーヒーを更に小分けにして抽出することができる。また、プレ濾過部４の一つにコーヒーに付加したい要素（例えば、バニラ等の他のフレーバー、栄養素、ブレンドしたい飲料）の原料を収容することができるという効果を奏する。
【００４３】
また、図３に示す第１開口部２ａ及び第２開口部２ｂの少なくともいずれか一方に、図１及び図３に示すようにそれぞれの開口部を明示するラインや文字等の表記や刻印等の識別表示２０を付したり、開口を容易にするタブ７０を設けたりしてもよい。
【００４４】
また、プレ濾過部４とフィルタ本体３とは、上端において連結した構成を例示したが、プレ濾過部４の外周面とフィルタ本体３の内周面とは、開口部上端から下方に向かってある程度寸法密着しているとよい。
このような構成にすると、プレ濾過部４のフィルタ本体３への固定がより確実となる。また、プレ濾過部４から染み出たコーヒーをフィルタ本体３の内周面に伝わせて第２ドリップ部Ｍ２内に滴下することも可能になる。したがって、第２ドリップ部Ｍ２内で蒸らされて拡がり上がったコーヒー豆を下方に流すことができる。
これにより、第２ドリップ部Ｍ２内でのドリップをより効果的に行うことができるという効果が得られる。
【００４５】
また、フィルタ本体３及びプレ濾過部４の形状は、四角錐形状に限定されるものではない。具体的にフィルタ本体３及びプレ濾過部４の形状は、図５に示すようにフィルタ本体３を逆切頭円錐形状にし、プレ濾過部４をフィルタ本体３の逆切頭円錐台形と同形状で深さのみフィルタ本体３よりも浅くし、フィルタ本体３内に重ねた構成にしてもよい。
【００４６】
この場合、プレ濾過部４のテーパ状の外周面は、フィルタ本体３のテーパ状の内周面に略密着して固定された構成にするのが好ましい。
このような形状にすることで、第１ドリップ部Ｍ１の窄んだ底面からコーヒーを滴下させ、第２ドリップ部Ｍ２においては、滴下したコーヒーができるだけ速やかに第２ドリップ部Ｍ２内のコーヒー豆に全体に広がるようにすることが可能となるという効果が得られる。
【００４７】
また、前記実施形態の変形例と同様の作用又は機能が得られる。すなわち、プレ濾過部４のテーパ面から染み出たコーヒーがフィルタ本体３の内周面に伝って落ちる。これにより、第２ドリップ部Ｍ２内で蒸らされ、フィルタ本体３の内周面に拡がり上がったコーヒー豆を再びフィルタ本体３の下方に流し落とすことが可能となる。したがって、第２ドリップ部Ｍ内の豆をできる限り下方でまとめて蒸らすことができ、投入されたコーヒー豆を第１ドリップ部Ｍ１から滴下した液に接触させてより濃度が高く味わいの深いコーヒーをドリップすることができるという効果が得られる。
【００４８】
また、図示しないが、フィルタ本体３を円錐形状にし、プレ濾過部４を切頭円錐形状にするか、その逆で、フィルタ本体３を逆切頭円錐形状にし、プレ濾過部４を円推形状等にするなどしてもよい。このような形状にすることで、プレ濾過部４から速やかに飲料を滴下したり、切頭円錐形状の底部がフィルタ本体３の下部に収容されたコーヒー豆の全体にドリップされたコーヒーを滴下したりし易くなるという効果が得られる。
【００４９】
又は、図６に示すように、フィルタ本体３をほぼ四角柱形状（縦断面視矩形）又は正面視矩形のやや扁平な袋状にし、プレ濾過部４をフィルタ本体３よりも深さが小さい四角柱形状又は正面視矩形のやや扁平な袋状に形成したものであってもよい。このような構成とすることで、簡便に第１ドリップ部Ｍ１及び第２ドリップ部Ｍ２を構成する２重の袋状の飲料抽出フィルタ１を作製することができるという効果が得られる。
すなわち、図７に示すように矩形のシート５０を一端部５０ａ側からＺ字状（又は逆Ｚ字状）に折り畳み、最後に他端部５０ｂで一端部５０ａを覆うようにし、両側部５０ｃ，５０ｄにおいて適宜熱融着及び切断をすることで、１枚のシートから簡便に飲料抽出用フィルタ１を作製することができる。
【００５０】
又は、図８に示すように、フィルタ本体３及びプレ濾過部４をホームベース型にし、第１ドリップ部Ｍ１の下方先端を第２ドリップ部Ｍ２の下方先端とほぼ同形状に形成したものであってもよい。このような構成とすることで、フィルタ本体３とプレ濾過部４との縦方向の融着部分を大きく設定し、プレ濾過部４がコーヒー豆及び熱湯の重さで下方に垂れやすくなることを防止することができるという効果が得られる。また前記したように、第１ドリップ部Ｍ１から滴下したコーヒーにより、第２ドリップ部Ｍ２内のコーヒー豆の広がりを防止することができる。
【００５１】
すなわち、コーヒーを良好に蒸らすためにはフィルタ本体３及びプレ濾過部４は、コーヒー豆ができるだけ熱湯に触れ易くなる形状であることが望ましいが、小分けにした全てのコーヒー豆に熱湯をくぐらせて、コーヒー豆を丁寧に繰り返し蒸らすことができるのであれば、フィルタ本体３とプレ濾過部４の立体設定時の形状は特に限定されない。
【００５２】
また、上記の実施形態ではプレ濾過部４を袋状の構成としたが、これに限定されるものではなく、図９に示すようにフィルタ本体３の内面の上下方向中間部から内方に張り出して内部空間を上下方向に仕切る仕切り部材３５により構成されるものであってもよい。この場合、仕切り部材３５の上方が第１ドリップ部Ｍ１となり、仕切り部材３５の下方が第２ドリップとなる。
この場合にも、飲料抽出フィルタ１は、上記実施形態と同様の作用及び効果を奏することができる。
【符号の説明】
【００５３】
１…飲料抽出用フィルタ
２…開口部
３…フィルタ本体
４…プレ濾過部
５…ホルダ
２０…識別表示
３５…仕切り部材
１００…容器
Ｍ…マルチドリップ構造
【図１】
2017131583.tif 000003
【図２】
2017131583.tif 000004
【図３】
2017131583.tif 000005
【図４】
2017131583.tif 000006
【図５】
2017131583.tif 000007
【図６】
2017131583.tif 000008
【図７】
2017131583.tif 000009
【図８】
2017131583.tif 000010
【図９】
2017131583.tif 000011